(57)【要約】【課題】  収納時に外部からの埃の侵入を防止し、スムーズに収納ケースの出し入れ操作が行えるベッド装置を提供する。【解決手段】  側方に収容部を有するベッド本体２と、ベッド本体２に対して、出し入れ自在な収納ケース４と、ベッド本体２と前記収納ケース４との間に張設され、収納ケースの上方にて伸縮自在なロールユニット５とを備える構成とした。【選択図】  図１
2013153927.tif 000002
【特許請求の範囲】
【請求項１】
側方に収容部を有するベッド本体と、
前記ベッド本体に対して、出し入れ自在な収納ケースと、
前記ベッド本体と前記収納ケースとの間に張設され、前記収納ケースの上方にて伸縮自在なロールユニットとを備えるベッド装置。
【請求項２】
前記ロールユニットは、一方が前記ベッド本体側に係止され、他方が前記収納ケースに係止される請求項１に記載のベッド装置。
【請求項３】
前記収納ケースは、前記収容部内に収めると前記収納ケースの上部が前記ロールユニットの伸縮部材により覆われる請求項１または請求項２に記載のベッド装置。
【請求項４】
前記ロールユニットは、前記伸縮部材である布地と前記布地を巻き取る方向に付勢力を生じる巻き取り軸とを備え、前記布地が付勢力に抗して前記巻き取り軸から引き出され、付勢力により前記巻き取り軸に巻き取られる請求項１乃至請求項３のいずれか一項に記載のベッド装置。
【請求項５】
前記ロールユニットは、軸方向の端部が出没自在となり、前記ベッド本体に形成された取付部に対して着脱自在である請求項１乃至請求項４のいずれか一項に記載のベッド装置。
【請求項６】
前記ロールユニットにはフックが設けられ、前記フックと前記収納ケースが係止されて前記ロールユニットが伸縮自在となる請求項１乃至請求項５のいずれか一項に記載のベッド装置。
【請求項７】
前記取付け孔は、前記ベッド本体に対して高さが異なる位置に複数設けられる請求項５に記載のベッド装置。
【発明の詳細な説明】
【技術分野】
【０００１】
本発明は、ベッド本体に対して出し入れ自在な収納ケースを有するベッド装置に関する。
【背景技術】
【０００２】
従来、ベッド本体に対して下方に収納ケースが設けられ、収納時に出し入れする収納ケースの上方に埃の侵入を抑制する着脱可能な板状の蓋板を備えたベッド装置が知られている（特許文献１、特許文献２を参照）。
【０００３】
図１０は、従来技術の構成を示し、板状の蓋板１５を設けたベッド装置１である。ベッド装置１は、幅方向の一側面が開口し内部を収容部２ａとするベッド本体２と、収容部２ａの底部にベッド本体２の幅方向に沿って設けられた摺動面３と、摺動面３に下面を移動可能に当接させて上記収容部にベッド本体２の幅方向に沿って順次出し入れ可能に収納された収納ケース４と、収納ケース４の上面に埃の侵入を抑制する板状の蓋板１５とを備えた構成となっている。
【先行技術文献】
【特許文献】
【０００４】
【特許文献１】特開２００６−２３０７５０号公報
【特許文献２】特開２００７−３１９２８５号公報
【発明の概要】
【発明が解決しようとする課題】
【０００５】
しかしながら、特許文献１および特許文献２に示されるベッド装置は、蓋板が板状であるため、例えば、収納ケースに収める収容物が収納容量を超えるような大きくかさばる物（例えば、羽毛製品等）であった場合、収容物に上方の蓋板が干渉して、収納ケースをスムーズに収めることができないという問題が起こり得る。
【０００６】
即ち、図１０において、収納ケース４に収める収容物６が大きく高さ方向で収容ケース４底面から蓋板１５より高くなる場合にあっては、収容物６と蓋板１５とが干渉して、収納ケース４の出し入れがスムーズにいかない状態となってしまう。
【０００７】
そこで、本発明は上記問題点に鑑みて成されたものであり、収納時に外部からの埃の侵入を防止し、スムーズに収納ケースの出し入れ操作が行えるようにしたベッド装置を提供することである。
【課題を解決するための手段】
【０００８】
従来の問題点に鑑み、本発明の課題解決手段は、側方に収容部を有するベッド本体と、前記ベッド本体に対して、出し入れ自在な収納ケースと、前記ベッド本体と前記収納ケースとの間に張設され、前記収納ケースの上方にて伸縮自在なロールユニットとを備えるベッド装置としたことである。
【０００９】
この場合、前記ロールユニットは、一方が前記ベッド本体側に係止され、他方が前記収納ケースに係止される構成とすることが好ましい。
【００１０】
また、前記収納ケースは、前記収容部内に収めると前記収納ケースの上部が前記ロールユニットの伸縮部材により覆われると良い。
【００１１】
また、前記ロールユニットは、前記伸縮部材である布地と前記布地を巻き取る方向に付勢力を生じる巻き取り軸とを備え、前記布地が付勢力に抗して前記巻き取り軸から引き出され、付勢力により前記巻き取り軸に巻き取られると良い。
【００１２】
また、前記ロールユニットは、軸方向の端部が出没自在となり、前記ベッド本体に形成された取付部に対して着脱自在であると良い。
【００１３】
また、前記ロールユニットにはフックが設けられ、前記フックと前記収納ケースが係止されて前記ロールユニットが伸縮自在となると良い。
【００１４】
また、前記取付け孔は、前記ベッド本体に対して高さが異なる位置に複数設けられると良い。
【発明の効果】
【００１５】
本発明のベッド装置では、ベッド本体と収納ケースとの間に張設され、収納ケースの上方にて伸縮自在なロールユニットにより、従来のように板状ではない伸縮自在なロールユニットを用いることで、収納ケースに収める収容物が収容空間に対してかさばる物（例えば、羽毛製品等）であった場合でも、収納操作に影響を受けることなく、収納ケースをスムーズに出し入れすることができる。
【００１６】
この場合、ロールユニットは、一方がベッド本体側に係止され、他方が収納ケースに係止される構成とすると、簡単な構成でベッド本体と収納ケースにロールユニットを引っかけて外部からの埃等を防止することができる。
【００１７】
また、収納ケースは、収容部に収めると収納ケースの上部がロールユニットの伸縮部材により覆われることになり、収納時、確実に埃等を防止することができる。
【００１８】
また、ロールユニットは、伸縮部材である布地と布地を巻き取る方向に付勢力を生じる巻き取り軸とを備え、布地が付勢力に抗して巻き取り軸から引き出され、付勢力により巻き取り軸に巻き取られることにより、伸縮自在となる。
【００１９】
また、ロールユニットは、軸方向の端部が出没自在となり、ベッド本体に形成された取付部に対して着脱自在であると、ロールユニットが必要でない場合には軸方向の端部を押しベッド本体の取付け孔に対して端部を外すという簡単な構成にてロールユニットの取り外しが行える。
【００２０】
また、ロールユニットにはフックが設けられ、フックと収納ケースが係止されてロールユニットが伸縮自在となると簡単で安価な構成で埃等を防止することができる。
【００２１】
また、取付け孔は、ベッド本体に対して高さが異なる位置に複数設けられると、収容物が収納ケースに収まり切らない場合に高い位置を用いることでスペースを稼ぎ、収容物が収納ケースに収まりきる場合に低い位置を用いることで収容ケースとロールユニットとの密着性を高めることができる。
【図面の簡単な説明】
【００２２】
【図１】本発明の実施形態に係るベッド装置の説明図である。
【図２】図１に示すロールユニットの構成を示す斜視図である。
【図３】図１に示す収納ケースの斜視図である。
【図４】本発明の実施形態に係るベッド装置の収納ケースを出し入れする場合の動作説明図であり、（ａ）収納ケースをベッド本体より出した場合、（ｂ）収納ケースを押し込む操作を行う場合、（ｃ）収納ケースが収納時の場合の動作説明図である。
【図５】図１に示すロールユニットのベッド本体への取付けを示す斜視図である。
【図６】本発明の実施形態に係るベッド装置の収納状態を示す説明図である
【図７】本発明の実施形態に係るベッド装置のロールユニットをベッド本体へ取付た場合の斜視図である。
【図８】図７に示す変形例である。
【図９】図７に示す更なる変形例である。
【図１０】ベッド装置の従来の収納時を示す説明図である。
【発明を実施するための形態】
【００２３】
以下に、本発明の実施形態について、図面を参照に詳細に説明する。
【００２４】
図１は、本発明の実施形態を説明するベッド装置１の説明図であり、従来の構成のベッド装置に加え、本発明ではマットレス下の収納空間において、図２に示すロールユニット５がベッド本体２と収納ケース４との間に取付けられている。
【００２５】
ベッド装置１は、幅方向の一側面が開口し内部を収容部２ａとするベッド本体２と、収容部２ａの底部にベッド本体２の幅方向に沿って設けられた摺動面３と、摺動面３に下面を当接させ上記収容部にベッド本体２に対して出し入れ自在となる収納ケース４と、収納ケース４の上面に埃の侵入を抑制する伸縮自在のロールユニット５とを備えている。収納ケース４に収める収容物６が大きく高さ方向で収容ケース４底面から布地５ｂより高くなる場合、布地５ｂは、収容物６によって上方に押されて膨らんで収納ケース４と収容物６との上面を覆った状態となる。
【００２６】
図２は、本発明のロールユニット５の斜視図である。ロールユニット５は断面略Ｉ形状の棒状の金属製または樹脂製の巻き取り軸５ａと、巻き取り軸５ａに一端が固定された脱臭または/および吸湿を行うことができる素材から成る薄手の伸縮自在な布地（伸縮部材）５ｂとを備えている。巻き取り軸５ａは、布地５ｂを巻き取る方向に付勢力を生じるスプリングを内部に有し、布地５ｂが付勢力に抗して巻き取り軸５ａから引き出され、付勢力により巻き取り軸５ａに巻き取られる。つまり、布地５ｂは、ロールユニット５において伸縮自在に構成されている。布地５ｂは、巻き取り軸５ａに固定されない他端（短手方向の端部）に直線状の係止部材（ストッパ）５ｃが設けられ、布地５ｂを最大長まで巻き取った位置で巻き取り位置が規制されるストッパ５ｃを有し、ストッパ５ｃにて布地５ｂの他端を挟み込んでいる。ストッパ５ｃは、布地５ｂが巻き取られた際に巻き取り軸５ａによる付勢力に抗して引っ張り出されることで張設した状態で維持できるようになっている。巻き取り軸５ａは、両端部に突出して出没自在なピン１１を両側に有し、ストッパ５ｃは両端から内側に至るそれぞれ所定位置に２つのフック１２を有する。ロールユニット５の両端に設けられるピン１１は、外側に向かって伸縮自在であり、巻き取り軸５ａ長手方向に付勢力を生じるスプリング等を内部に有する。
【００２７】
図３は、ベッド装置１の横に設けられる収納ケース４の構成を示す斜視図である。収納ケース４は底板、左右板、前後板の５枚の板部材から構成され、上方が開口し、奥側の後板の外周面において、ロールユニット５が係止される際、２つのフック１２の位置に対応する位置で、外側に突出し係止部となる取付け金具１３を２つ有する。収納ケース４の底面の外周面は摺動しやすいよう滑らかに表面処理されている。
【００２８】
図４は、ベッド本体２に対して収納ケース４を出し入れする際の動作を説明する動作説明図である。まず最初に、図４（ａ）の状態ではロールユニット５が有する２つのフック１２を、収納ケース４の奥側に行く取付け金具１３にそれぞれ係止して取付ける。次にフック１２を取付け金具１３に取付けた状態で、収納ケース４は、図４（ｂ）の状態からロールユニット５から巻き取り軸５ａの付勢力に抗して布地５ｂを引き出して収納ケース４の上方を覆いながら摺動面３上を摺動して、図４（ｃ）の状態のように収容部２ａに収納される。
【００２９】
図５は、ロールユニット５を収容部２ａに取付ける際の説明図である。巻き取り軸５ａは、両端部に突出するピン１１を有し、ピン１１を収容部２ａの側面の左右に設けられる取付け孔１４ａあるいは高さ位置が異なる取付け孔１４ｂに嵌入し、収容部２ａに係止される。収容物６が収納ケース４に収まり切らず、収納ケース４の上方にはみ出てしまう場合でも布地５ｂによって押さえ込んで入れ込むことができる（図１参照）。また、収容物６が収納ケース４に収まりきる場合に取付け穴１４ｂを用いることで収納ケース４と布地５ｂとの密着性を高めることができる（図６参照）。
【００３０】
図６は、収納ケース４に収める収容物７が小さく、高さ方向で収容ケース４底面から布地５ｂより低くなる場合、布地５ｂは、外力を受けずに収納ケース４の上面を覆った状態となる。
【００３１】
図７は、ベッド本体２の斜視図を示し、筐体であるベッド本体２は、横方向に開口面を有するボックス構造となっている。ベッド本体２をボックス構造とすることで、ベッド本体２の強度を確保することができる。
【００３２】
次に、本発明の収納ケース４の収納時の動作について説明する。まず、図５に示すように、ロールユニット５を収容部２ａに取付ける際、巻き取り軸５ａが両端部に有し外側に向かって伸縮可能なピン１１を取付け穴１４ａか取付け穴１４ｂの位置に両端を内側に抑え込んでから、抑え込む操作力を解除し位置決めをして所定位置に嵌着して固定する。次に、図４に示すようにロールユニット５が有する２カ所のフック１２を、収納ケース４が有する取付け金具１３にそれぞれ取付ける。そして、収納ケース４を収容部２ａに収納するには、収納ケース４をロールユニット５から巻き取り軸５ａの付勢力に抗して布地５ｂを引き出して、布地５ｂで収納ケース４の上面を覆いながら、摺動面３上を摺動して収容部２ａに収納させる。また、収納ケース４を収容部２ａから引き出すには、収納ケース４を、ロールユニット５から巻き取り軸５ａの付勢力に従って布地５ｂを巻き取りながら、摺動面３上を摺動し、収容部２ａから引き出される。
【００３３】
次に、本発明の実施形態の効果について説明する。
【００３４】
本発明のベッド装置１は、収納ケース４の上面を覆う際、薄手の伸縮自在な布地５ｂから成るロールユニット５を用いることで、収納ケース４に収める収容物６がかさばる物であった場合でも、布地５ｂが収容物６の形状に合わせて伸縮し、収納ケース４をスムーズに移動させ、図４（ｂ）から図４（ｃ）に至る操作あるいはその逆操作を支障なく行え収納ケース４を収納位置に収めることができる。
【００３５】
また、本発明のベッド装置１は、フック１２と取付け金具１３とを有することで、ロールユニット５の収納ケース４への脱着を容易とすることができる。
【００３６】
また、本発明のベッド装置１は、伸縮自在なピン１１を有することで、ロールユニット５のベッド本体２への脱着を容易とすることができる。
【００３７】
更には、ロールユニット５の布地５ｂには、化学反応により脱臭・吸湿を行うことができる特殊素材を用いることで、収納ケース４に収めた収容物６または収容物７に臭いが付着したり、湿気を抑制または防止することができる。
【００３８】
本発明は、上記実施形態に限定されるものではなく、以下に示す態様に変更しても良い。
【００３９】
図８は、図７の変形例であり、図７においてはベッド本体２がボックス構造となっているが、図８に示すようにベッド本体２０が平面状の天板を省いた構造となっていても良い。天板を別部材とすることで、使用者が天板の形状・構造を選ぶことができる。
【００４０】
図９もまた、図７の変形例であり、図９に示す如く摺動面３の代わりに収容部２ａ内面の幅方向両側にガイド部材３ａを設け、収納ケース４をガイド部材３ａ上を摺動して収容部２ａに収納・引き出しても良い。
【００４１】
また、外側に突出自在なピン１１は巻き取り軸５ａの片側のみに設けても良く、布地５ｂは耐久性のある紙や樹脂の薄膜といった素材を用いることも可能である。
【００４２】
また、フック１２と取付け金具１３とは対応する場所に１つ以上あれば良い。
【００４３】
また、収納ケース４の底面の外周面はより摺動しやすいよう別部材を取付けたり、コーティング加工されていても良い。
【符号の説明】
【００４４】
１    ベッド装置
２    ベッド本体
２ａ  収容部
３    摺動面
３ａ  ガイド部材（摺動面）
４    収納ケース
５    ロールユニット
５ａ  布地（伸縮部財）
１１  ピン
１２  フック
１３  取付け金具
【図１】
2013153927.tif 000003
【図２】
2013153927.tif 000004
【図３】
2013153927.tif 000005
【図４】
2013153927.tif 000006
【図５】
2013153927.tif 000007
【図６】
2013153927.tif 000008
【図７】
2013153927.tif 000009
【図８】
2013153927.tif 000010
【図９】
2013153927.tif 000011
【図１０】
2013153927.tif 000012